(57)【要約】【課題】携帯電話機の電話帳や、構内用電話システムの共通電話帳に相手の名前や番号を登録しておくと第三者にその名前や番号を知られる恐れがある。従来の技術では、キーロックやパスワードによって情報の拡散を防いでいる。電話番号を教えた人物から電話がかかってくるのはよいが、第三者には電話番号を教えたくない、つまり電話番号の勝手な拡散を防ぎたいという要求をシステムによって実現する。【解決手段】電話番号を発信するとき、又は、通話中に特殊な操作を行うことにより、相手の電話帳に名前のみを登録させる。電話番号は電話をかけられた電話機（システム）には認識されるが、その使用者は見ることができない。通話中などのディスプレイ表示にも電話番号は一切表示されない。【選択図】図１
2009021746.tif 000002
【特許請求の範囲】
【請求項１】
電話帳機能を有する電話装置において、
電話帳データを蓄積する電話帳データ蓄積手段と、着信時に発信元の電話番号を受信する発信元電話番号受信手段と、前記発信元電話番号受信手段が受信した発信元電話番号を名称等の付帯情報と関連付けて前記電話帳データ蓄積手段に登録する電話帳データ登録手段と、前記電話帳データ蓄積手段に蓄積された電話帳データを表示する電話帳データ表示手段と、特定のコマンドを受信する特定コマンド受信手段と、を具備し、
前記特定コマンド受信手段が、着信処理中または通話中に相手装置から電話番号秘匿化を要求する予め定められた特定コマンドを受信した場合に、前記電話帳データ登録手段は、前記発信元電話番号受信手段が受信した電話番号が秘匿である旨を識別可能にして前記電話帳データ蓄積手段に登録し、
前記電話帳データ表示手段は、前記電話番号が秘匿である旨を識別したならば、当該電話番号と関連付けられた付帯情報の一部又は全部を表示すると共に、当該電話番号は表示しないことを特徴とする電話番号秘匿可能な電話装置。
【請求項２】
外線及び内線を収容する主装置と前記内線に繋がる内線電話機から成る電話装置において、
前記主装置は、電話帳データを蓄積する電話帳データ蓄積手段と、相手電話番号を名称等の付帯情報と関連付けて前記電話帳データ蓄積手段に登録する電話帳データ登録手段と、前記電話帳データ蓄積手段に蓄積された電話帳データを前記内線電話機に表示させる電話帳データ表示手段と、特定のコマンドを受信する特定コマンド受信手段と、を具備し、
前記特定コマンド受信手段が、前記外線または前記内線から電話番号秘匿化を要求する予め定められた特定コマンドを受信した場合に、前記電話帳データ登録手段は、当該特定コマンドが指定する相手電話番号が秘匿である旨を識別可能にして前記電話帳データ蓄積手段に登録し、
前記電話帳データ表示手段は、前記電話番号が秘匿である旨を識別したならば、当該電話番号と関連付けられた付帯情報の一部又は全部を前記内線電話機に表示させると共に、当該電話番号は前記内線電話機に表示させないことを特徴とする電話番号秘匿可能な電話装置。
【発明の詳細な説明】
【技術分野】
【０００１】
本発明は、電話番号秘匿可能な電話装置に関する。
【背景技術】
【０００２】
携帯電話機の普及等により、電話帳機能は標準として装備されていることが多い。電話帳には相手の名前や電話番号を登録し、発信する際に電話帳から検索し、発信するのが一般的である。便利な反面、個人情報の保護という観点からは、携帯電話機を操作し、電話帳を開くだけで、その相手の情報が漏れてしまい、非常に不便である。個人情報漏洩の防護策として、従来の技術では、携帯電話自体のキーロックやパスワード制御によるロックが採用されている。
【０００３】
個人情報漏洩の防護策について、特許文献１に開示されている。特許文献１では、電話帳の表示を名前と番号をそれぞれ別個に表示可能とし、番号を表示させる際にはパスワードの入力を必要とするシステムを提唱している。
【特許文献１】特開平９−２０５４７９号公報
【発明の開示】
【発明が解決しようとする課題】
【０００４】
しかしながら、上記の発明では、番号を秘匿するかしないかを判断・実行するのは電話番号を登録する側である。登録される側が秘匿することを求めても、それが守られるかは番号を登録する側の裁量に委ねられる。本発明では、番号を秘匿する権利を登録される側に持たせることを目的とする。
【課題を解決するための手段】
【０００５】
本発明の電話番号秘匿可能な電話装置では、内部メモリに電話帳を持ち、着信信号と同時に特殊なコマンドが送信された場合、または通話中に特殊なコマンドを送信された場合に、その特殊なコマンドを抽出し、電話番号を内部メモリの一種である秘匿電話帳へ記憶し、記憶された電話番号は使用者に表示しないことを特徴とする。
【発明の効果】
【０００６】
本発明によれば、秘匿電話帳へと記憶された電話番号は、通常の電話帳へ記憶された電話番号とは異なり、例えば、不正な使用者が電話帳を参照しても、電話番号が表示部に表示されないことによって、電話番号を知ることができない。また、発信履歴や着信履歴等、通常は電話番号が表示される状況であっても同様である。
【発明を実施するための最良の形態】
【０００７】
以下、図面を用いて、本発明の実施の形態について説明する。
【実施例１】
【０００８】
図１は本発明の実施例１の電話機の構成図である。電話機１０、送受信部１１、制御部１２、電話帳１３、秘匿電話帳１４、表示部１５、操作部１６から構成される。
【０００９】
電話機１０は本発明の対象となる電話機であり、送受信部１１、制御部１２、電話帳１３、秘匿電話帳１４、表示部１５、操作部１６から構成される。送受信部１１は図示しない回線を介して、他の電話機と通話等を行い、その際に送受信制御を受け持つ。また、後述する特殊コマンドの抽出を行う。
【００１０】
制御部１２は送受信部１１、電話帳１３、秘匿電話帳１４、表示部１５、操作部１６と接続され、それぞれを制御する。電話帳１３は電話機の図示しない内部メモリの領域の一つであり、使用者によって登録された電話番号や名前等を記憶する。秘匿電話帳１４は図示しない内部メモリの領域の一つであり、後述する秘匿電話番号、名前等を記憶する。表示部１５はディスプレイ等を備え、様々な情報を表示する。操作部１６はボタン等を備え、ダイヤル番号や文字入力を行う。
【００１１】
次に、動作について説明する。図２が特殊コマンド付き着信を受信した場合の電話機の動作フローチャートである。
【００１２】
電話機１０が着信を受けると（Ｓ１０２）、それが特殊コマンド付きのものかを送受信部１１が判断を行う（Ｓ１０３）。ここで、特殊コマンドとは、電話番号の後に付加される特定の番号のことである。
【００１３】
この場合、回線がデジタルであった場合は、サブアドレス発信やダイレクトインダイヤル（ＤＩＤ）のように、電話番号の後ろにコマンドをつける事で特殊コマンドの送受信が可能である。
【００１４】
また、回線がＩＰ電話であった場合は、ＳＩＰのＩＮＶＩＴＥ等コマンドのタグ情報等を利用することで、特殊コマンドの送受信を動作させることができる。
【００１５】
特殊コマンド付きではない場合（Ｓ１０３，ＮＯ）、通常通り通話を開始し、終了する（Ｓ１１４，Ｓ１１５）。特殊コマンド付きであった場合（Ｓ１０３，ＹＥＳ）、着信を受けた電話番号を秘匿電話帳１４へ一時的に記憶する（Ｓ１０４）。
【００１６】
電話番号を記憶したこと、着信が特殊コマンド付きであることを使用者に示すため、「ただいまの着信は特殊コマンド付きであり、秘匿電話帳へ記憶します」等の旨の表示を行う（Ｓ１０５）。同時に、相手方に応答メッセージを送信する（Ｓ１０６）。
【００１７】
その後は通常通りに通話を開始し、通話を終了する（Ｓ１０７，Ｓ１０８）。通話が終了した後に、表示部１５へ「只今の電話番号を秘匿電話帳へ記憶しますか？」といった旨の確認表示を行う（Ｓ１０９）。
【００１８】
ここで、使用者は番号を記憶するかしないかを判断する。記憶しない場合（Ｓ１１０，ＮＯ）、秘匿電話帳１４へ一旦記憶されていた番号を消去し、終了する（Ｓ１１３）。記憶する場合は使用者が操作部１６を操作し、名前やグループ番号等、電話帳機能へ一般的に記憶される情報を入力する（Ｓ１１１）。電話機１０は、入力された名前等を電話番号と関連付けて、秘匿電話帳１４へ記憶し（Ｓ１１２）、終了する。
【００１９】
図３は通話中に特殊コマンドを受信した場合の動作フローチャートである。電話機１０が着信を受信し通話を開始したか否を判断する（Ｓ２０３）。送受信部１１は通話中に特殊コマンドを受信したかどうかを判断する（Ｓ２０４）。
【００２０】
この場合、通話中にＰＢ信号を送出するなどの方法により特殊コマンドを送信することができる。
【００２１】
受信しなかった場合は（Ｓ２０４，ＮＯ）通常通りに通話を行い、通話を終了する（Ｓ２１４）。受信した場合は電話番号を秘匿電話帳１４へ一旦記憶する（Ｓ２０５）。その後は特殊コマンド付き着信を受信した場合と同じく、電話番号を秘匿電話帳１４へ一旦記憶し（Ｓ２０５）、表示を行い（Ｓ２０６）、応答メッセージを送信（Ｓ２０７）する。
【００２２】
また、通話中に表示部１５のディスプレイ等に電話番号が表示されていた場合は、それを消去する（Ｓ２０８）。その後、登録確認（Ｓ２１０）以降（Ｓ２１０〜Ｓ２１３，Ｓ２１５）の処理は特殊コマンド付き着信を受信した場合と同じである。
【００２３】
以上のようにして、秘匿電話帳１４へと記憶された電話番号は、通常の電話帳１３へ記憶された電話番号と異なり、使用者が電話帳及び、発信履歴・着信履歴等、通常であれば電話番号が表示される機能を使用しても電話番号が表示部１５に表示されないように制御部１２が制御を行う。
【００２４】
通常の電話帳１３へ記憶された電話番号・名前等の情報は使用者が自由に編集・消去等を行うことが可能であるが、秘匿電話帳１４へ記憶された情報は自由に編集を行うことができないように制御部１２によって制御される。秘匿電話帳１４へ記憶された電話番号は表示されないため、電話番号の編集は不可能である。しかし、名前等のほかの情報は編集可能、また、番号自体の消去は可能であるように、制御部１２によって制御される。
【図面の簡単な説明】
【００２５】
【図１】図１は電話機のシステム構成図である。
【図２】図２は特殊コマンド付き着信を受信した場合の動作フローチャートである。
【図３】図３は通話中に特殊コマンドを受信した場合の動作フローチャートである。
【符号の説明】
【００２６】
１０    電話機
１１    送受信部
１２    制御部
１３    電話帳
１４    秘匿電話帳
１５    表示部
１６    操作部
【図１】
2009021746.tif 000003
【図２】
2009021746.tif 000004
【図３】
2009021746.tif 000005